(57)【要約】【課題】高密度化に効果的なランドグルーブ記録において冗長度の低い、密度効率の高いウォブリングアドレスを利用しながら、かつラジアルチルトのような外乱に強くかつ１スポットでトラッキング精度の高いＷＰＰ方式を適用する。【解決手段】トラッキング極性で現在の記録トラックがランドＬであるかグルーブＧであるかが明かな場合、各ウォブルアドレス情報の奇数、偶数との関係からトラックのアドレスが分かる。例えば、トラッキング極性でスポットがグルーブＧにおり、ウォブルアドレス情報Ｂの偶数と奇数が判明したのであれば、記録トラックＴｒｋ３にいるのが分かる。また、トラッキング極性でスポットがランドＬにおり、ウォブルアドレス情報Ｃの偶数と、Ｄの奇数が判明したのであれば、記録トラックＴｒｋ６にいるのが分かる。【選択図】  図３
2004259411.tif 000002
【特許請求の範囲】
【請求項１】
ランドとグルーブを記録トラックとする光ディスクにおいて、
前記ランドを挟んだ両側のグルーブにあってランドとの境界に、記録トラックの周回方向に均等な角度に分割したセクタ毎にウォブル状のアドレス領域を交互に配置してなること
を特徴とする光ディスク。
【請求項２】
前記グルーブが両側のランドに接する内周側境界と外周側境界に前記ウォブル状のアドレス領域を交互に配置したことを特徴とする請求項１記載の光ディスク。
【請求項３】
前記グルーブの両側に同じ系列のアドレス領域を交互にセクタ番号に基づいて連続して配置することを特徴とする請求項２記載の光ディスク。
【請求項４】
前記ランドの両側に同じ系列のアドレス領域を交互にセクタ番号に基づいて連続して配置することを特徴とする請求項１又は２記載の光ディスク。
【請求項５】
前記ランドの両側のグルーブにあって、前記ランドに接する内周側境界と外周側境界には、それぞれ異なる系列のアドレス領域を配置することを特徴とする請求項１又は２記載の光ディスク。
【請求項６】
ランドとグルーブを記録トラックとし、かつ前記ランドを挟んだ両側のグルーブにあってランドとの境界に、記録トラックの周回方向に均等な角度に分割したセクタ毎にウォブル状のアドレス領域を交互に配置してなる光ディスクに対して信号を記録再生する光ディスク記録再生装置であって、
前記光ディスクの記録トラックに記録又は再生用のレーザ光を照射し、かつ前記光ディスクからの戻り光の光量を検出する光学ヘッド手段と、
前記光学ヘッド手段にて検出した戻り光の光量から前記光学ヘッドの前記光ディスクの半径方向に対するトラッキングに関する信号を生成するマトリックス手段と、
前記マトリックス手段にて生成したトラッキングに関する信号に基づいて前記アドレス領域のウォブル情報を検出するウォブル検出手段と、
前記ウォブル検出手段にて検出されたウォブル情報をデコードしてアドレス情報を得るアドレスデコード手段とを備え、
前記アドレスデコード手段のデコード結果に基づいて前記光学ヘッドが記録又は再生用のレーザ光を照射しているアドレスを検出することを特徴とする光ディスク記録再生装置。
【請求項７】
前記アドレスデコード手段のデコード結果と前記トラッキング誤差信号の極性とから、前記光学ヘッドが記録又は再生用のレーザ光を照射しているアドレスを検出することを特徴とする請求項６記載の光ディスク記録再生装置。
【請求項８】
前記光ディスクに発生したラジアルチルトにより前記光学ヘッド手段からの前記記録又は再生用のレーザ光がディスク半径方向に歪んだときには、前記アドレスデコード手段によってデコードされた前記アドレス領域の前記セクタの番号に基づいた偶数番号又は奇数番号のいずれかと、前記トラッキング誤差信号の極性とから、前記光学ヘッドが記録又は再生用のレーザ光を照射しているアドレスを検出することを特徴とする請求項６記載の光ディスク記録再生装置。
【発明の詳細な説明】
【０００１】
【発明の属する技術分野】
本発明は、ランドとグルーブを記録トラックとする光ディスクにおいてグルーブの片側あるいは両側の側壁を周回方向に分割してウォブルしたトラックを有する光ディスク及び光ディスク記録再生装置に関する。
【０００２】
【従来の技術】
ミニディスクＭＤ（商標）等で使われる、例えば図１４に示すようなグルーブ記録の媒体においてはグルーブ（記録トラック）の両側壁を例えばトラックのアドレス情報に応じて半径方向にウォブルする方式をとっている。ウォブルの周波数の成分を取り出すことにより、トラックのアドレス情報を得ることができる。このウォブルアドレスは、データ領域に重畳する形で付加できるので冗長度に影響を与えないため記録効率を高くする。
【０００３】
最近では、光ディスクのトラック密度を向上させるために、ランドとグルーブの両方に情報の記録を行う技術が開発されている。一例として特開平５−３１４５３８号に開示されている光ディスクにおいては、図１５の（ｃ）に示すように、グルーブの片側の側壁に回転同期情報やアドレス情報によりＦＭ変調されたウォブル信号を記録している。つまり、このタイプの光ディスクは、グルーブの一方の側壁だけがウォブルしており、かつ、グルーブの幅の平均値はグルーブ間のランドの幅の平均値に等しくなるように設定されている。
【０００４】
これは、図１４に示したグルーブの両側壁をウォブルしたタイプの光ディスクにランドとグルーブの両方を記録しようとすると、ランドにビームがあるときには両側のウォブル情報が混在してしまい、それを避けるためである。図１５の（ｃ）においてランドにビームスポットがあるときでも、このランドを挟んだ両方のグルーブにあっては、一方のグルーブエッジはウォブルしているが他方のグルーブエッジはストレートなためアドレス情報が混在することはない。
【０００５】
またグルーブの両側をウォブルしたディスクでは特開平８−１４７７２３号公報に開示されるように、ピックアップ装置に使用される対物レンズのレンズシフトや、ディスクスキュー等によってプッシュプル信号から得たトラッキングエラー信号にのるＤＣオフセットをウォブリング信号を用いて打ち消すＷＰＰ（ＷｏｂｂｌｉｎｇＰｕｓｈＰｕｌｌ）方式がある。つまり、ＷＰＰ方式は、トラッキングオフセットに対するレンズ視野オフセットやラジアルチルトのオフセットを除去できる。同様の効果はビームをグレーティングにより３スポットに分割してメインスポットとサブスポットのプッシュプルの差分を取るＤＰＰ（ＤｉｆｆｅｒｅｎｔｉａｌＰｕｓｈＰｕｌｌ方式）でも得られるが１スポットで実現できるＷＰＰの方がＬＤビーム効率や光学系のシンプルさで優れており小型のカップラーでも適用されている（特開平１０−１２４９２２号公報）。
【０００６】
【特許文献１】
特開平５−３１４５３８号
【特許文献２】
特開平８−１４７７２３号
【特許文献３】
特開平１０−１２４９２２号
【０００７】
【発明が解決しようとする課題】
ところで、前記特開平５−３１４５３８号に開示されている光ディスクに対するアドレスの検出方法では、読み取りスポットの片側にウォブルが位置するため、コマ収差の影響でラジアルチルトの方向によっては検出能力が低下する。図１６はランドとグルーブでウォブルアドレスのジッターのラジアルチルトマージンの測定結果である。例えば、ランドのラジアルチルトに対するジッターの特性Ａと、グルーブのラジアルチルトに対するジッターの特性Ｂは異なる。これは、ランドとグルーブでのディスクの半径方向の傾き（相対的にはビームの傾き）と、ビームに対するウォブルの位置関係によって、ウォブルの検出能力がアンバランスになることを示している。したがって、ディスクにチルトがあった場合、ランドあるいはグルーブで読み取りエラーが起きるという問題が起きる。つまり、ビームがラジアルチルトにより半径方向に歪んだとき、ウォブルアドレス方向とラジアルチルト方向でウォブル振幅のとれない弱い条件があるということである。
【０００８】
図１７を参照して詳細に説明する。光ディスクに照射されるビームのスポットは、チルトによる影響を受けずに正常に照射された場合、すなわち、チルト量が０．０ｄｅｇである場合には、同図中に実線で示すように、その強度分布がウォブルグルーブＷＧ−Ｃ（トラックＴｒｋ３）の両側のランドＬ−Ｌ（トラックＴｒｋ２）とランドＬ−Ｒ（トラックＴｒｋ４）で対称となる。したがって、ディスク表面で反射回折された戻り光は、光ディスクの半径方向におけるトラックＴｒｋ３の中央位置で対称となる。チルトがなければウォブルｗによる信号はビームの左側で見ても右側で見ても振幅に差が生じることはない。
【０００９】
一方、チルトによる影響を受け収差により歪むことに起因して、ウォブルグルーブＷＧ−Ｒ（トラックＴｒｋ５）の方向へ傾いた状態で光ディスクに照射されたビームのスポットは、例えば同図に破線、一点鎖線で示すようになる。すなわち、光ディスクに照射されるスポットは、チルト量が例えば“０．６ｄｅｇ”、“１．２ｄｅｇ”である場合には、それぞれ同図にＣ０．６ｄｅｇ、Ｃ１．２ｄｅｇと示すように、ともにその強度分布、つまり振幅はＣ０．０ｄｅｇよりも小さくなり、ウォブルグルーブＷＧ−Ｃ（トラックＴｒｋ３）の両側のランドＬ−Ｌ（トラックＴｒｋ２）とランドＬ−Ｒ（トラックＴｒｋ４）で非対称となり、ランドＬ−Ｒ（トラックＴｒｋ４）に照射されるレーザ光の強度が、正常に照射された場合よりも低くなり、ランドＬ−Ｌ（トラックＴｒｋ２）に照射されるレーザ光の強度が正常に照射された場合よりも高くなる。そして、その傾向は、チルト量が大きいほど顕著なものとなる。したがって、ディスク表面で反射回折された戻り光は、ウォブルグルーブＷＧ−Ｃ（トラックＴｒｋ３）の両側のランドＬ−Ｌ（トラックＴｒｋ２）とランドＬ−Ｒ（トラックＴｒｋ４）に対して非対称となり、両側に位置するランドＬ−Ｌ（トラックＴｒｋ２）とランドＬ−Ｒ（トラックＴｒｋ４）からの戻り光の強度も０．６ｄｅｇ、１．２ｄｅｇで示すようにそれぞれ異なるものとなる。よって、チルトによるビーム歪によりウォブル信号をビームの左側と右側で見たときに振幅に差が生じることとなる。
【００１０】
さらに、チルトによる影響を受け、ウォブルグルーブＷＧ−Ｌ（トラックＴｒｋ１）の方向へ傾いた状態で光ディスクに照射されたスポットは、図示しないが、その強度分布がウォブルグルーブＷＧ−Ｃ（トラックＴｒｋ３）の両側のランドＬ−Ｌ（トラックＴｒｋ２）とランドＬ−Ｒ（トラックＴｒｋ４）に対して非対称となり、ランドＬ−Ｒ（トラックＴｒｋ４）に照射されるレーザ光の強度が、正常に照射された場合よりも高くなり、ランドＬ−Ｌ（トラックＴｒｋ２）に照射されるレーザ光の強度が正常に照射された場合よりも低くなる。したがって、ディスク表面で反射回折された戻り光は、ウォブルグルーブＷＧ−Ｃ（トラックＴｒｋ３）の両側のランドＬ−Ｌ（トラックＴｒｋ２）とランドＬ−Ｒ（トラックＴｒｋ４）に対して非対称となり、両側に位置するランドＬ−Ｌ（トラックＴｒｋ２）とランドＬ−Ｒ（トラックＴｒｋ４）からの戻り光の強度もそれぞれ異なるものとなる。よって、チルトによるビーム歪によりウォブル信号をビームの左側と右側で見たときに振幅に差が生じることとなる。
【００１１】
図１８には、実際にチルト量を変化させながら光ディスクにレーザ光を照射した場合における、ウォブルをビームの右側でみたとき、又は左側でみたときの戻り光に基づくチルトエラー信号の特性を示す。例えば、ウォブル信号をビームの左側で見るのはウォブルグルーブＷＧに対してであり、右側で見るのはランドＬに対してである。ここでは、チルト量に対するウォブル成分信号は、ウォブルグルーブＷＧにおける側壁ｗに付与されているＡＤＩＰ（ＡＤｒｅｓｓ  Ｉｎ  ｒｅ−ｇｒｏｏｖｅ）を再生する際に得られる信号としている。
【００１２】
例えば、ウォブルグルーブＷＧ上のスポットからの戻り光に基づく信号のチルト量に対する振幅の変化をプロットした曲線を曲線（１）とし、ウォブルグルーブＷＧに隣接のランドＬ上のスポットからの戻り光に基づく信号のチルト量に対する振幅の変化をプロットした曲線を曲線（２）とする。曲線（１）、（２）は、ともに、チルト量に依存する。しかし、チルト量が“０°”である場合を中心として完全に対称とはなっていない。そして、これらの差分で表されるチルト信号の曲線（３）もチルト量が“０°”である場合を中心として完全に対称とはなっていない。
【００１３】
また、前記特開平８−１４７７２３号公報に開示されているＷＰＰ方式は、左右のウォブルのバランスを使うため、前記片側ウォブル方式には適用できない。
【００１４】
本発明は、前記実情に鑑みてなされたものであり、高密度化に効果的なランドグルーブ記録において冗長度の低い、密度効率の高いウォブリングアドレスを利用しながら、かつラジアルチルトのような外乱に強くかつ１スポットでトラッキング精度の高いＷＰＰ方式を適用することができる光ディスク、光ディスク記録再生装置の提供を目的とする。
【００１５】
【課題を解決するための手段】
本発明に係る光ディスクは、前記課題を解決するために、ランドとグルーブを記録トラックとする光ディスクにおいて、前記ランドを挟んだ両側のグルーブにあってランドとの境界に、記録トラックの周回方向に均等な角度に分割したセクタ毎にウォブル状のアドレス領域を交互に配置してなる。
【００１６】
この光ディスクにあっては、前記グルーブが両側のランドに接する内周側境界と外周側境界に前記ウォブル状のアドレス領域を交互に配置している。
【００１７】
また、前記グルーブの両側に同じ系列のアドレス領域を交互にセクタ番号に基づいて連続して配置する。また、前記ランドの両側に同じ系列のアドレス領域を交互にセクタ番号に基づいて連続して配置する。また、前記ランドの両側のグルーブにあって、前記ランドに接する内周側境界と外周側境界には、それぞれ異なる系列のアドレス領域を配置する。さらに、前記アドレス領域は、アドレス情報を変調する周波数に対してｎ倍を下限として周回方向に形成する。
【００１８】
すなわち、本発明の光ディスクは、ウォブルを周回方向に分割して、ウォブルするグルーブ壁をスタガー（ｓｔａｇｇｅｒ）状に配置する。つまり、互い違いに、あるいはジグザグに配置する。スタガー単位で周回の位置を示すセクターを配置してチルトにより偶数・奇数番目のどちらかが読める。読めないばあいはセクター位置を補間する。記録単位の上位アドレスあるいはトラック番号は奇数・偶数セクターに重ね書きしチルトがあっても読める。
【００１９】
また、本発明に係る光ディスク記録再生装置は、前記課題を解決するために、ランドとグルーブを記録トラックとし、かつ前記ランドを挟んだ両側のグルーブにあってランドとの境界に、記録トラックの周回方向に均等な角度に分割したセクタ毎にウォブル状のアドレス領域を交互に配置してなる光ディスクに対して信号を記録再生する光ディスク記録再生装置であって、前記光ディスクの記録トラックに記録又は再生用のレーザ光を照射し、かつ前記光ディスクからの戻り光の光量を検出する光学ヘッド手段と、前記光学ヘッド手段にて検出した戻り光の光量から前記光学ヘッドの前記光ディスクの半径方向に対するトラッキング誤差信号を生成するマトリックス手段と、前記マトリックス手段にて生成したトラッキング誤差信号に基づいて前記アドレス領域のウォブル情報を検出するウォブル検出手段と、前記ウォブル検出手段にて検出されたウォブル情報をデコードしてアドレス情報を得るアドレスデコード手段とを備え、前記アドレスデコード手段のデコード結果に基づいて前記光学ヘッドが記録又は再生用のレーザ光を照射しているアドレスを検出する。
【００２０】
この光ディスク記録再生装置では、前記アドレスデコード手段のデコード結果と前記トラッキング誤差信号の極性とから、前記光学ヘッドが記録又は再生用のレーザ光を照射しているアドレスを検出する。
【００２１】
また、前記光ディスクに発生したラジアルチルトにより前記光学ヘッド手段からの前記記録又は再生用のレーザ光がディスク半径方向に歪んだときには、前記アドレスデコード手段によってデコードされた前記アドレス領域の前記セクタの番号に基づいた偶数番号又は奇数番号のいずれかと、前記トラッキング誤差信号の極性とから、前記光学ヘッドが記録又は再生用のレーザ光を照射しているアドレスを検出する。
【００２２】
【発明の実施の形態】
以下、本発明の実施の形態について図面を参照しながら説明する。先ず、第１の実施例は、図１に示すように、ランド（Ｌａｎｄ）Ｌとグルーブ（Ｇｒｏｏｖｅ）Ｇのいずれも記録トラックとした光ディスク１であり、トラックを周回方向Ｓに均等な角度に分割したセクタ毎に、アドレス情報をグルーブＧの壁面の内周側ＩＮ、外周側ＯＵＴに交互にウォブル状に配置した構成である。つまり、ウォブルを周回方向に分割して、ウォブルするグルーブ壁をスタガー（ｓｔａｇｇｅｒ）状に互い違いにあるいはジグザグに配置している。
【００２３】
光ディスク１は、例えばＣＤ（Ｃｏｍｐａｃｔ  Ｄｉｓｋ）や、ＭＤ（Ｍｉｎｉ  Ｄｉｓｋ：ミニディスク、登録商標）、ＭＯ（Ｍａｇｎｅｔｏ  Ｏｐｔｉｃａｌ  Ｄｉｓｋ：光磁気ディスク）、ＤＶＤ（Ｄｉｇｉｔａｌ  Ｖｅｒｓａｔｉｌｅ  Ｄｉｓｋ）等である。  特に、ＭＤとＭＯの光磁気ディスクでは、記録信号に応じて磁界を変調した磁界変調記録方式によって信号が記録されている。磁界変調方式とは、後述する光ピックアップによりスポット状に集光された光ビームを光磁気ディスクに照射することにより、該光磁気ディスクの記録用磁性膜を昇温し抗磁力を下げ、それと同時に情報に応じて向きが反転される変調磁界を磁気ヘッドにより印加して、記録を行う方式である。
【００２４】
図１の光ディスク１では、記録トラックＴｒｋ０、Ｔｒｋ２がランドＬであり、記録トラックＴｒｋ１、Ｔｒｋ３がグルーブＧである。そして、記録トラックＴｒｋ１、Ｔｒｋ３の壁面の内周側ＩＮ、外周側ＯＵＴにセクタ毎に交互にウォブルを形成している。
【００２５】
この実施例１の光ディスク１は、図２に構成を示すような、光ディスク記録再生装置によって信号が記録／再生される。この光ディスク記録再生装置にあって、前記ウォブルによって得られるアドレス情報は各記録トラックのアドレス／セクタアドレスを示す。この光ディスク記録再生装置の構成、動作については後述する。
【００２６】
図３に示すように、光ディスク１の各記録トラック例えばＴｒｋ１〜Ｔｒｋ７には、例えばＡ０〜Ａ６、Ｂ０〜Ｂ６、Ｃ０〜Ｃ６、Ｄ０〜Ｄ６と表示されるウォブルアドレス情報がセクタ毎に記録されている。よって、これらウォブルアドレス情報において、各番号は、セクタの番号に一致させてもよい。例えば、Ａ０、Ａ１、Ａ２・・・Ａ６は、各セクタのアドレス情報と呼ばれることもある。
【００２７】
この図３の例では、各Ａ、Ｂ、Ｃ、Ｄ系列のウォブルアドレス情報は、それぞれグルーブＧの記録トラックＴｒｋ１、Ｔｒｋ３、Ｔｒｋ５、Ｔｒｋ７の内側ＩＮ及び外側ｏｕｔに交互に、ウォブルを周回方向に分割してウォブルするグルーブ壁をスタガー（ｓｔａｇｇｅｒ）状に互い違いにあるいはジグザグに配置している。各グルーブＧの記録トラックに挟まれている各ランドＬにあっては、例えば記録トラックＴｒｋ２のように、記録トラックＴｒｋ１と接する側にあっては記録トラックＴｒｋ１の有するウォブルアドレス情報Ａ０、Ａ２、Ａ４、Ａ６を共有する。また、記録トラックＴｒｋ３と接する側にあっては記録トラックＴｒｋ３の有するウォブルアドレス情報Ｂ１、Ｂ３、Ｂ５を共有する。
【００２８】
つまり、図３において、ウォブルアドレス情報Ａ０は記録トラックＴｒｋ１とＴｒｋ２で共有され、ウォブルアドレス情報Ａ１は記録トラックＴｒｋ０とＴｒｋ１で共有され、ウォブルアドレス情報Ａ２は記録トラックＴｒｋ１とＴｒｋ２で共有される。全てのウォブルアドレス情報について記録トラックの共有関係を見ると、図４に示すようになる。
【００２９】
図４において、記録トラックＴｒｋ１（グルーブＧ）は、ウォブルアドレス情報Ａ０、Ａ１、Ａ２、Ａ３、Ａ４、Ａ５、Ａ６を持つ。ここで、ウォブルサイドには、印を付けている。また、記録トラックＴｒｋ２（ランドＬ）は、ウォブルアドレス情報Ａ０、Ｂ１、Ａ２、Ｂ３、Ａ４、Ｂ５、Ａ６を持つ。また、記録トラックＴｒｋ３（グルーブＧ）は、ウォブルアドレス情報Ｂ０、Ｂ１、Ｂ２、Ｂ３、Ｂ４、Ｂ５、Ｂ６を持つ。また、記録トラックＴｒｋ４（ランドＬ）は、ウォブルアドレス情報Ｂ０、Ｃ１、Ｂ２、Ｃ３、Ｂ４、Ｃ５、Ｂ６を持つ。また、記録トラックＴｒｋ５（グルーブＧ）は、ウォブルアドレス情報Ｃ０、Ｃ１、Ｃ２、Ｃ３、Ｃ４、Ｃ５、Ｃ６を持つ。また、記録トラックＴｒｋ６（ランドＬ）は、ウォブルアドレス情報Ｃ０、Ｄ１、Ｃ２、Ｄ３、Ｃ４、Ｄ５、Ｃ６を持つ。また、記録トラックＴｒｋ７（グルーブＧ）は、ウォブルアドレス情報Ｄ０、Ｄ１、Ｄ２、Ｄ３、Ｄ４、Ｄ５、Ｄ６を持つ。
【００３０】
これをまとめると図５に示すようになる。記録トラックＴｒｋ１（グルーブＧ）はウォブルアドレス情報Ａ（Ａアドレス）の奇数と偶数を有し、記録トラックＴｒｋ２（ランドＬ）はウォブルアドレス情報Ａ（Ａアドレス）の偶数と、ウォブルアドレス情報Ｂ（Ｂアドレス）の奇数を有する。また、記録トラックＴｒｋ３（グルーブＧ）はウォブルアドレス情報Ｂ（Ｂアドレス）の奇数と偶数を有し、記録トラックＴｒｋ４（ランドＬ）はウォブルアドレス情報Ｂ（Ｂアドレス）の偶数と、ウォブルアドレス情報Ｃ（Ｃアドレス）の奇数を有する。また、記録トラックＴｒｋ５（グルーブＧ）はウォブルアドレス情報Ｃ（Ｃアドレス）の奇数と偶数を有し、記録トラックＴｒｋ６（ランドＬ）はウォブルアドレス情報Ｃ（Ｃアドレス）の偶数と、ウォブルアドレス情報Ｄ（Ｄアドレス）の奇数を有する。そして、記録トラックＴｒｋ７（グルーブＧ）はウォブルアドレス情報Ｄ（Ｄアドレス）の奇数と偶数を有する。
【００３１】
したがって、トラッキング極性で現在の記録トラックがランドＬであるかグルーブＧであるかが明かな場合、前記図５に基づいた各ウォブルアドレス情報の奇数、偶数との関係からトラックのアドレスが分かる。例えば、トラッキング極性でスポットがグルーブＧにおり、ウォブルアドレス情報Ｂの偶数と奇数が判明したのであれば、記録トラックＴｒｋ３にいるのが分かる。また、トラッキング極性でスポットがランドＬにおり、ウォブルアドレス情報Ｃの偶数と、Ｄの奇数が判明したのであれば、記録トラックＴｒｋ６にいるのが分かる。もちろん、前述したように、セクタのアドレス情報までを考えるのであれば、セクタ毎のアドレスをも検出することができる。
【００３２】
次に、図６に示すように、光ディスク１にチルト（ラジアルチルト）があった場合について説明する。光ディスク１がプラス＋側、或いはマイナス−側に傾くことによって、対物レンズ３からの集束ビームがラジアルチルトにより半径方向に歪む。つまり、ラジアルチルトがあるとビームの傾き方向とウォブルの位置関係により図５に示した検出結果が異なってくる。
【００３３】
図７に示すように、ラジアルチルト方向が＋側であった場合、例えば記録トラックＴｒｋ４ではＢ系列の偶数のウォブルアドレス情報が検出される。また、ラジアルチルト方向が−側であった場合、記録トラックＴｒｋ４ではＣ系列の奇数のウォブルアドレス情報が検出される。
【００３４】
同様に、ラジアルチルト方向が＋側であった場合、記録トラックＴｒｋ１ではＡ系列の奇数のウォブルアドレス情報が検出され、記録トラックＴｒｋ２ではＡ系列の偶数のウォブルアドレス情報が検出され、記録トラックＴｒｋ３ではＢ系列の奇数のウォブルアドレス情報が検出され、記録トラックＴｒｋ５ではＣ系列の奇数のウォブルアドレス情報が検出される。また、記録トラックＴｒｋ６ではＣ系列の偶数のウォブルアドレス情報が検出され、記録トラックＴｒｋ７ではＤ系列の奇数のウォブルアドレス情報が検出される。
【００３５】
他方、ラジアルチルト方向が−側であった場合、記録トラックＴｒｋ１ではＡ系列の偶数のウォブルアドレス情報が検出され、記録トラックＴｒｋ２ではＢ系列の奇数のウォブルアドレス情報が検出され、記録トラックＴｒｋ３ではＢ系列の偶数のウォブルアドレス情報が検出され、記録トラックＴｒｋ５ではＣ系列の偶数のウォブルアドレス情報が検出される。また、記録トラックＴｒｋ６ではＤ系列の奇数のウォブルアドレス情報が検出され、記録トラックＴｒｋ７ではＤ系列の偶数のウォブルアドレス情報が検出される。
【００３６】
これをまとめると、ウォブルアドレス情報がＡの奇数であり、グルーブＧであるという組み合わせはラジアルチルト方向が＋であるときのトラックＴｒｋ１である。また、ウォブルアドレス情報がＡの偶数であり、ランドＬであるという組み合わせはラジアルチルト方向が＋であるときのトラックＴｒｋ２である。ウォブルアドレス情報がＢの奇数であり、グルーブＧであるという組み合わせはラジアルチルト方向が＋であるときのトラックＴｒｋ３である。また、ウォブルアドレス情報がＢの偶数であり、ランドＬであるという組み合わせはラジアルチルト方向が＋であるときのトラックＴｒｋ４である。また、ウォブルアドレス情報がＣの奇数であり、グルーブＧであるという組み合わせはラジアルチルト方向が＋であるときのトラックＴｒｋ５である。また、ウォブルアドレス情報がＣの偶数であり、ランドＬであるという組み合わせはラジアルチルト方向が＋であるときのトラックＴｒｋ６である。また、ウォブルアドレス情報がＤの奇数であり、グルーブＧであるという組み合わせはラジアルチルト方向が＋であるときのトラックＴｒｋ７である。
【００３７】
さらに、ウォブルアドレス情報がＡの偶数であり、グルーブＧであるという組み合わせはラジアルチルト方向が−であるときのトラックＴｒｋ１である。また、ウォブルアドレス情報がＢの奇数であり、ランドＬであるという組み合わせはラジアルチルト方向が−であるときのトラックＴｒｋ２である。また、ウォブルアドレス情報がＢの偶数であり、グルーブＧであるという組み合わせはラジアルチルト方向が−であるときのトラックＴｒｋ３である。また、ウォブルアドレス情報がＣの奇数であり、ランドＬであるという組み合わせはラジアルチルト方向が−であるときのトラックＴｒｋ４である。また、ウォブルアドレス情報がＣの偶数であり、グルーブＧであるという組み合わせはラジアルチルト方向が−であるときのトラックＴｒｋ５である。また、ウォブルアドレス情報がＤの奇数であり、ランドＬであるという組み合わせはラジアルチルト方向が−であるときのトラックＴｒｋ６である。また、ウォブルアドレス情報がＤの偶数であり、グルーブＧであるという組み合わせはラジアルチルト方向が−であるときのトラックＴｒｋ７である。
【００３８】
したがって、トラッキング極性で現在の記録トラックがランドＬであるかグルーブＧであるかが明かな場合、検出される各ウォブルアドレス情報の奇数、偶数との関係からトラックのアドレスが分かる。例えば、現在の記録トラックがランドＬであり、ウォブルアドレス情報Ｂの偶数が判明したのであれば、チルト方向が＋であるときの記録トラックＴｒｋ４にいるのが分かる。また、現在の記録トラックがグルーブＧであり、ウォブルアドレス情報Ｂの偶数が判明したのであれば、チルト方向が−であるときの記録トラックＴｒｋ３にいるのが分かる。
【００３９】
もちろん、前述したように、セクタのアドレス情報までを考えるのであれば、セクタ毎のアドレスをも検出することができる。
【００４０】
次に、これまで説明した光ディスク１に信号を記録し、かつ記録された信号を再生する光ディスク記録再生装置について図２を参照して説明する。光ディスク１は、片側ウォブルであり、ウォブルを周回方向に分割して、ウォブルするグルーブ壁をスタガー状に互い違いに配置している。この光ディスク記録再生装置は前述した磁界変調記録方式によって信号を記録すると共に再生する。
【００４１】
光ディスク１は、スピンドルモータ２によって回転駆動される。光ディスク１には、光学ヘッドから記録又は再生用のレーザ光が照射される。光学ヘッドの光ディスク１を挟んだ対向位置には、図示を省略したが、前記記録信号に応じて向きが反転される変調磁界を印加する磁気ヘッドが設けられている。
【００４２】
光学ヘッドは、レーザ出力手段としてのレーザダイオード６と、コリメータレンズ５と、偏光ビームスプリッタ４と、対物レンズ３と、分離ミラー７と、集光レンズ８１と、第１のフォトディテクタＰＤ９１と、集光レンズ８２と、第２のフォトディテクタＰＤ９２とを備えている。
【００４３】
レーザダイオード６は、信号記録時に記録トラックをキュリー温度まで加熱するための高レベルのレーザ出力を行い、また再生時には、磁気カー効果により反射光からデータを検出するための比較的低レベルのレーザ出力を行う。
【００４４】
コリメータレンズ５は、レーザダイオード６から出射されたレーザ光を平行ビームに変換する。偏光ビームスプリッタ４は、コリメータレンズ５からの平行ビームを対物レンズ３方向に透過すると共に、光ディスク１からの戻り光を分離ミラー７方向に反射する。対物レンズ３は、偏光ビームスプリッタ４を透過したレーザ光を光ディスク１の記録トラックに集光する。
【００４５】
分離ミラー７は、光ディスク１から対物レンズ３、偏光ビームスプリッタ４を介した戻り光を透過及び反射して二つの方向に分離する。集光レンズ８１は、分離ミラー７によって透過された戻り光を集光して第１のフォトディテクタＰＤ９１上に集光する。第１のフォトディテクタＰＤ９１は、集光ミラー８１によって集光された戻り光の光量を検出する。集光レンズ８２は、分離ミラー７によって反射された戻り光を集光して第２のフォトディテクタＰＤ９２上に集光する。第２のフォトディテクタＰＤ９２は、集光ミラー８２によって集光された戻り光の光量を検出する。
【００４６】
第１のフォトディテクタＰＤ９１及び第２のフォトディテクタＰＤ９２は、図８に示すように配置される光検出器と等価である。フォトディテクタＰＤ９１（ＰＤ１）は、光学ヘッド内に設けられ、光ディスク１で回折・反射された光を検出し、その光量に応じた検出信号Ａ１，Ｂ１，Ｃ１及びＤ１を出力する。特に、このフォトディテクタＰＤ１は、４つの受光部ＰＤ１−Ａ１，ＰＤ１−Ｂ１，ＰＤ１−Ｃ１及びＰＤ１−Ｄ１を図示の如く配置し、その内の２個の受光部ＰＤ１−Ａ，ＰＤ１−Ｂで記録トラックの左側から反射した１次回折光を検出し、残りの２個の受光部ＰＤ１−Ｃ，ＰＤ１−Ｄで記録トラックの右側から反射した−１次回折光を検出する。また、フォトディテクタＰＤ９２（ＰＤ２）も、光学ヘッド内に設けられ、光ディスク１で回折・反射された光を検出し、その光量に応じた検出信号Ａ２，Ｂ２，Ｃ２及びＤ２を出力する。このフォトディテクタＰＤ２も、４つの受光部ＰＤ２−Ａ２，ＰＤ２−Ｂ２，ＰＤ２−Ｃ２及びＰＤ２−Ｄ２を図示の如く配置し、その内の２個の受光部ＰＤ２−Ｄ２，ＰＤ２−Ｃ２で記録トラックの左側から反射した１次回折光を検出し、残りの２個の受光部ＰＤ２−Ａ２，ＰＤ２−Ｂ２で記録トラックの右側から反射した−１次回折光を検出する。
【００４７】
光学ヘッドの前記第１のフォトディテクタＰＤ９１及び第２のフォトディテクタＰＤ９２によって検出された前記戻り光の各光量検出信号は、ＩＶ変換器１０に供給される。ＩＶ変換器１０は、前記第１のフォトディテクタＰＤ９１及び第２のフォトディテクタＰＤ９２によって検出された各光量検出信号を電流−電圧変換し、マトリックス回路１１に供給する。
【００４８】
マトリックス回路１１は、ＩＶ変換器１０によって電流−電圧変換された前記各光量検出信号を用い、図９に示す演算部３３及び演算部３４により次の式で示すようなフォーカスエラー信号ＦＥとトラッキングエラー信号ＴＥを生成する。
ＦＥ＝｛（Ａ１＋Ｄ１）−（Ｂ１＋Ｃ１）｝−｛（Ａ２＋Ｄ２）−（Ｂ２＋Ｃ２）｝
ＴＥ（ＷＰＰ）＝｛（Ａ１＋Ｄ２）−（Ｄ１＋Ａ２）｝／Σ（Ａ〜Ｄ）−Ｋ｛ｗ（Ａ１＋Ｄ２）−ｗ（Ｄ１＋Ａ２）｝／ｗ｛（Ａ１＋Ｄ２）−（Ｄ１＋Ａ２）｝
図８には、次の式によって求められるプッシュプル信号（Ｐｕｓｈ−Ｐｕｌｌ）信号も示す。
Ｐｕｓｈ−Ｐｕｌｌ＝｛（Ａ１＋Ｂ１）−（Ｃ１＋Ｄ１）｝−｛（Ａ２＋Ｂ２）−（Ｃ２＋Ｄ２）｝
このプッシュプル法は、後述するように、ウォブル検出のために用いられる。ウォブル検出結果は、アドレスデコーダに送られ、アドレスデコードに用いられる。
【００４９】
前記ＴＥ（ＷＰＰ）で示した式では、例えばＰＤ１−Ａ１からの信号Ａからウォブル成分の振幅ｗ（Ａ１）を求めている。これは、図１０に示すように、信号ＡをバンドパスフィルタＢＰＦ３１で帯域制限したのち、振幅検出器３２によりウォブル成分の振幅を検出して得られる。
【００５０】
位相補償回路１５は、フォーカスエラー信号ＦＥ、トラッキングエラー信号ＴＥの位相を補償し、２軸駆動回路１６に供給する。２軸駆動回路１６は、フォーカスエラー信号ＦＥに基づいてボイスコイルモータを駆動するフォーカス制御信号を生成し、光学ヘッドの対物レンズ３を光ディスク１に接離する方向に駆動する。また、２軸駆動回路１６は、トラッキングエラー信号ＴＥに基づいてボイスコイルモータを駆動するトラッキング制御信号を生成し、光学ヘッドの対物レンズ３を光ディスク１の半径方向に駆動する。これにより、フォーカス制御とトラッキング制御がなされる。
【００５１】
マトリックス回路１１は、プルイン（ＰｕｌｌＩｎ）信号又は図８を用いて説明したプッシュプル信号も生成し、ウォブル検出回路１２に供給する。ウォブル検出回路１２は、例えばプッシュプル信号からウォブリングにより記録されているアドレス情報ＡＤＩＰ（Ａｄｄｒｅｓｓ  ｉｎ  Ｐｒｅｇｒｏｏｖｅ）を検出してアドレスデコーダ１３及びタイミング発生部１４に供給する。
【００５２】
アドレスデコーダ１３は、アドレス情報ＡＤＩＰからアドレスをデコードする。これは、前記図４、図５及び図７に示したウォブルアドレス情報からのデコード結果となる。アドレスデコーダ１３により得られた前記ウォブルアドレス情報のデコード結果は、記録再生制御ホストコンピュータ１７に供給され、光学ヘッドの位置決め（トラッキングサーボ）のために用いられる。また、データ記録再生時のアクセス動作の制御等に用いられる。タイミング発生部１４は、ウォブルアドレス情報からタイミング信号を検出し、マトリックス回路１１に供給する。
【００５３】
記録再生制御ホスト１７は、記録／再生時に目標アドレスをランド／グルーブ設定部１８に送る。ランド／グルーブ設定部１８は、目標アドレスがランドであるのかグルーブであるのに応じてランド／グルーブに対するトラッキングを設定する。このときランド／グルーブ設定部１８は、トラッキング極性を変える。このトラッキング極性の変化により、アドレスデコーダ１３は、現在の記録トラックがランドＬであるかグルーブＧであるかを知ることができる。
【００５４】
このようにトラッキングデコーダ１３は、トラッキング極性で現在の記録トラックがランドＬであるかグルーブＧであるかを知り、さらに前述したように各ウォブルアドレス情報の奇数、偶数との関係からトラックのアドレスをデコードすることができる。
【００５５】
そして、記録再生制御ホスト１７は、アドレスデコーダ１３のデコード結果に基づいて光学ヘッドが記録又は再生用のレーザ光を照射しているアドレスを検出する。具体的には、アドレスデコーダ１３のデコード結果と前記トラッキング誤差信号の極性とから判断できるランド／グルーブ設定結果とから、光学ヘッドが記録又は再生用のレーザ光を照射しているアドレスを検出する。
【００５６】
なお、前記光ディスク記録再生装置における信号の記録動作、再生動作について説明しておく。信号記録時において、磁気ヘッドは磁気ヘッドドライバにより駆動され、光ディスク１にＮ又はＳの磁界を印加する。この磁気ヘッドは、光ヘッドと光ディスク１を挟んで対向するように配設されており、例えばスレッド機構等により光ヘッドとともに移動する。このとき光学ヘッドは、記録用のレーザ光を対物レンズ３により集束して記録位置に照射し、記録トラックをキュリー温度まで加熱する。これにより、磁気ヘッドからの磁界の向きに応じて信号が記録される。
【００５７】
信号再生時においては、光学ヘッドから光ディスク１に照射された再生用のレーザ光の戻り光から磁気カー効果により信号を検出する。具体的には、ＰＤ１及びＰＤ２によって検出された光量信号を用い、ＩＶ変換部１０にてＩＶ変換したのち、マトリックス回路１１にてＭＯ信号を得る。その後、このＭＯ信号は、Ａ／Ｄ変換部に供給される。Ａ／Ｄ変換部に供給された、ＭＯ信号は、量子化される。その後、ＡＧＣ処理部でゲインがコントロールされてからイコライザ（ＥＱ）＆ディジタルＰＬＬ部により波形整形と抜き取りクロックが生成され、デコーダを経て、復調部で復調される。
【００５８】
次に、前記光ディスク記録再生装置が光学ヘッドの位置決めを制御する処理手順について図１１のフローチャートを参照しながら説明する。記録再生制御ホスト１７が行う処理である。ここでは、記録トラックＴｒｋ４（ランドＬ）へのアクセス制御とする。
【００５９】
先ず、記録再生制御ホスト１７が目標アドレスを記録トラックＴｒｋ４（ランドＬ）と要求する（ステップＳ１）。すると、ランド／グルーブ設定部１８は、目標アドレスに合わせてトラッキング極性（ランド）を切り替える（ステップＳ２）。このとき、マトリックス回路１１で得られるトラッキングエラーＴＥ（ＷＰＰ）が予め決められた値以内か否かを判断し（ステップＳ３）、以内であればウォブル検出部１２、アドレスデコーダ１３を用いてアドレス検出を行う（ステップＳ４）。そして、このステップＳ４にて検出したアドレスが、偶数セクタのＢ系列アドレスあるいは奇数セクタのＣ系列アドレスであるか否かをステップＳ５にて判定する。これは、図７に示したチルト時の検出結果に基づいたデコード結果である。もし、ラジアルチルトが無い場合でも、ステップＳ５の判定により目標アドレスへのアクセスを検出できるのはもちろんである。
【００６０】
ステップＳ５にてＹＥＳと判定したのであれば、ステップＳ６に進んで目標アドレスのターゲットセクターで記録再生動作を開始する。一方、ステップＳ５にてＮＯと判定したのであれば、ステップＳ７に進み、検出されたアドレスは目標アドレスより内周であるか否かを判定する。もちろん、ここでの判定は、前記図４、図５及び図７を示して説明したアドレスの検出方法によって行われる。ステップＳ７にて検出アドレスが目標アドレスより内周である（ＹＥＳ）と判定すれば、ステップＳ８にて２軸駆動回路１６等を制御し、光学ヘッドを内周へシークし、その後、目標アドレスに行くまでステップＳ４からの処理を繰り返す。また、ステップＳ７にて検出アドレスが目標アドレスより外周である（ＮＯ）と判定されば、ステップＳ９にて２軸駆動回路１６等を制御し、光学ヘッドを外周へシークし、その後、目標アドレスに行くまでステップＳ４からの処理を繰り返す。
【００６１】
以上説明したように、実施例１の光ディスク１によれば、高密度化に効果的なランドグルーブ記録において冗長度の低い、密度効率の高いウォブリングアドレスを利用しながら、かつラジアルチルトのような外乱に強くかつ１スポットでトラッキング精度の高いＷＰＰ方式を適用できる。
【００６２】
また、片側ウォブルである光ディスク１にあっては、常にウォブルが途切れることなく検出できるため、回転同期信号としてウォブルアドレス情報を利用することができる。
【００６３】
なお、この実施例１の光ディスク１によれば、本件出願人による、特開２００１−１１８２７４にて開示したチルト検出方法を適用することができる。この特開２００１−１１８２７４によるチルト検出方法は、記録データが記録される記録領域の両側壁の一方の側壁に、記録データと区別可能な信号情報が記録され、両側壁において幅又は位置を変調して信号情報が記録された側壁である信号情報記録側壁とした変調案内溝と、両側壁を変調しない無変調案内溝とを交互に連結した構造からなる案内溝を設けるとともに、記録領域の両側壁の一方が変調案内溝でありかつ他方が無変調案内溝である光ディスクに対して、レーザ光を照射するとともに、光ディスクの表面で反射回折された戻り光を受光し、信号情報記録壁からの戻り光に基づく信号の振幅を検出し、検出したレーザ光が信号情報記録側壁よりも光ディスクの内周側に位置した場合における信号情報記録側壁からの戻り光に基づく信号である第１の信号の振幅と、検出したレーザ光が信号情報記録側壁よりも光ディスクの外周側に位置した場合における信号情報記録側壁からの戻り光に基づく信号である第２の信号の振幅とに基づいてチルト量を検出するという技術である。このチルト検出方法によれば、光ディスクにおける信号情報記録側壁からの戻り光に基づく第１の信号の振幅及び第２の信号の振幅に基づいてチルト量を検出することができ、チルト検出のための専用のセンサを必要とせずにチルト検出を速やかにかつ高精度に行うことができる。同様の効果は、本発明の光ディスク１に対しても得られる。
【００６４】
次に、実施例２について図１２及び図１３を用いて説明する。この実施例２もランド（Ｌａｎｄ）Ｌとグルーブ（Ｇｒｏｏｖｅ）Ｇのいずれも記録トラックとした光ディスクであり、トラックを周回方向Ｓに均等な角度に分割したセクタ毎に、アドレス情報をグルーブＧの両側壁面にウォブルを形成して配置した構成である。つまり、ウォブルを周回方向に分割して、グルーブのウォブルする両側壁をスタガー（ｓｔａｇｇｅｒ）状に互い違いにあるいはジグザグに配置している。図１２では、記録トラックＴｒｋ０、Ｔｒｋ２、Ｔｒｋ４、Ｔｒｋ６がランドＬであり、記録トラックＴｒｋ１、Ｔｒｋ３、Ｔｒｋ５、Ｔｒｋ７がグルーブＧである。そして、記録トラックＴｒｋ１、Ｔｒｋ３、Ｔｒｋ５、Ｔｒｋ７の両側壁面に、交互にセクタ毎に同一のウォブルアドレス情報を入れた構成である。
【００６５】
光ディスクのグルーブＧである記録トラックＴｒｋ１には、セクタ毎に同一のウォブルアドレス情報を例えばＡ０、Ａ１、・・・として入れる。ここで、各番号は、セクタの番号に一致させてもよい。よって、例えばＡ０、Ａ１、Ａ２・・・Ａ６は、各セクタのアドレス情報と呼ばれることもある。
【００６６】
ウォブルアドレス情報Ａ０、Ａ１をグルーブの両側に入れている破線で囲んだ領域の間の両側壁面は、ストレートグルーブである。また、グルーブＧである記録トラックＴｒｋ３にも、セクタ毎に同一のウォブルアドレス情報を例えばＢ０、Ｂ１、・・・として入れる。ウォブルアドレス情報Ｂ１、Ｂ２をグルーブの両側に入れている破線で囲んだ領域の間の両側壁面もストレートグルーブである。ここで、ランドＬ（記録トラックＴｒｋ２）を挟んだ両側のグルーブＧの記録トラックＴｒｋ１と記録トラックＴｒｋ３では、ウォブルアドレス情報が記録されているウォブル部分がスタガー状に互い違いになっている。もちろん、ストレートグルーブ部分もスタガー状に互い違いになっている。
【００６７】
これは、ランドＬ（記録トラックＴｒｋ４）を挟んだ両側のグルーブＧの記録トラックＴｒｋ３と記録トラックＴｒｋ５でも同様である。すなわち、記録トラックＴｒｋ３のウォブルアドレス情報Ｂ１、Ｂ２が記録されたウォブル部分と、記録トラックＴｒｋ５のウォブルアドレス情報Ｃ０、Ｃ１が記録されたウォブル部分とは、互い違いになっている。また、ストレートグルーブ部分も互い違いになっている。ランドＬ（記録トラックＴｒｋ６）を挟んだ両側のグルーブＧの記録トラックＴｒｋ５と記録トラックＴｒｋ７でも同様である。
【００６８】
したがって、図１３に示すような検出結果が得られる。ラジアルチルトが発生していないときの検出結果は、符号２１で示すようになる。つまり、記録トラックＴｒｋ０（ランドＬ）は、ウォブルアドレス情報Ａ０、Ｅ１、Ａ１、Ｅ２を持つ。ウォブルサイドには、記しを付けている。また、記録トラックＴｒｋ１（グルーブＧ）は、ウォブルアドレス情報Ａ０、Ａ１を持つ。また、記録トラックＴｒｋ２（ランドＬ）は、ウォブルアドレス情報Ａ０、Ｂ１、Ａ１、Ｂ２を持つ。また、記録トラックＴｒｋ３（グルーブＧ）は、ウォブルアドレス情報Ｂ１、Ｂ２を持つ。また、記録トラックＴｒｋ４（ランドＬ）は、ウォブルアドレス情報Ｃ０、Ｂ１、Ｃ１、Ｂ１を持つ。また、記録トラックＴｒｋ５（グルーブＧ）は、ウォブルアドレス情報Ｃ０、Ｃ１を持つ。また、記録トラックＴｒｋ６（ランドＬ）は、ウォブルアドレス情報Ｃ０、Ｄ１、Ｃ１、Ｄ２を持つ。
【００６９】
これをまとめると、記録トラックＴｒｋ０（ランドＬ）はウォブルアドレス情報Ｅ（Ｅアドレス）とウォブルアドレス情報Ａ（Ａアドレス）を有し、記録トラックＴｒｋ１（グルーブＧ）はウォブルアドレス情報Ａ（Ａアドレス）を有する。また、記録トラックＴｒｋ２（ランドＬ）はウォブルアドレス情報Ａ（Ａアドレス）とウォブルアドレス情報Ｂ（Ｂアドレス）を有し、記録トラックＴｒｋ３（グルーブＧ）はウォブルアドレス情報Ｂ（Ｂアドレス）を有する。また、記録トラックＴｒｋ４（ランドＬ）はウォブルアドレス情報Ｂ（Ｂアドレス）とウォブルアドレス情報Ｃ（Ｃアドレス）を有し、記録トラックＴｒｋ５（グルーブＧ）はウォブルアドレス情報Ｃ（Ｃアドレス）を有する。また、記録トラックＴｒｋ６（ランドＬ）はウォブルアドレス情報Ｃ（Ｃアドレス）とウォブルアドレス情報Ｄ（Ｄアドレス）を有する。
【００７０】
したがって、トラッキング極性で現在の記録トラックがランドＬであるかグルーブＧであるかが明かな場合、前記図１３の符号２１に基づいた各ウォブルアドレス情報との関係からトラックのアドレスが分かる。例えば、トラッキング極性でスポットがグルーブＧにおり、ウォブルアドレス情報Ｂが判明したのであれば、記録トラックＴｒｋ３にいるのが分かる。また、トラッキング極性でスポットがランドＬにおり、ウォブルアドレス情報Ｃが判明したのであれば、記録トラックＴｒｋ４にいるのが分かる。
【００７１】
次に、前記図６に示すように、光ディスクにチルト（ラジアルチルト）があった場合について説明する。ラジアルチルトがあるとビームの傾き方向とウォブルの位置関係により、検出結果は符号２２（−）又は符号２３（＋）のようになる。
【００７２】
ラジアルチルト方向が−側であった場合、記録トラックＴｒｋ０ではＡ系列が検出されず、Ｅ系列が検出される。記録トラックＴｒｋ１ではＡ系列が検出され、記録トラックＴｒｋ２ではＢ系列が検出されず、Ａ系列が検出される。記録トラックＴｒｋ３ではＢ系列が検出され、記録トラックＴｒｋ４ではＣ系列が検出されず、Ｂ系列が検出される。記録トラックＴｒｋ５ではＣ系列が検出され、記録トラックＴｒｋ６ではＤ系列が検出されず、Ｃ系列が検出される。
【００７３】
他方、ラジアルチルト方向が＋側であった場合、記録トラックＴｒｋ０ではＥ系列が検出されず、Ａ系列が検出される。記録トラックＴｒｋ１ではＡ系列が検出され、記録トラックＴｒｋ２ではＡ系列が検出されず、Ｂ系列が検出される。記録トラックＴｒｋ３ではＢ系列が検出され、記録トラックＴｒｋ４ではＢ系列が検出されず、Ｃ系列が検出される。記録トラックＴｒｋ５ではＣ系列が検出され、記録トラックＴｒｋ６ではＣ系列が検出されず、Ｄ系列が検出される。
【００７４】
これをまとめると、ウォブルアドレス情報がＥであり、ランドＬであるという組み合わせは、ラジアルチルト方向が−であるときのトラックＴｒｋ０である。また、ウォブルアドレス情報がＡであり、ランドＬであるという組み合わせは、ラジアルチルト方向が＋であるときのトラックＴｒｋ０である。また、ウォブルアドレス情報がＡであり、グルーブＧであるという組み合わせは、ラジアルチルト方向が±であるときのトラックＴｒｋ１である。また、ウォブルアドレス情報がＡであり、ランドＬであるという組み合わせは、ラジアルチルト方向が−であるときのトラックＴｒｋ２である。また、ウォブルアドレス情報がＢであり、ランドＬであるという組み合わせは、ラジアルチルト方向が＋であるときのトラックＴｒｋ２である。また、ウォブルアドレス情報がＢであり、グルーブＧであるという組み合わせは、ラジアルチルト方向が±であるときのトラックＴｒｋ３である。また、ウォブルアドレス情報がＢであり、ランドＬであるという組み合わせは、ラジアルチルト方向が−であるときのトラックＴｒｋ４である。また、ウォブルアドレス情報がＣであり、ランドＬであるという組み合わせは、ラジアルチルト方向が＋であるときのトラックＴｒｋ４である。また、ウォブルアドレス情報がＣであり、グルーブＧであるという組み合わせは、ラジアルチルト方向が±であるときのトラックＴｒｋ５である。また、ウォブルアドレス情報がＣであり、ランドＬであるという組み合わせは、ラジアルチルト方向が−であるときのトラックＴｒｋ６である。また、ウォブルアドレス情報がＤであり、ランドＬであるという組み合わせは、ラジアルチルト方向が＋であるときのトラックＴｒｋ６である。
【００７５】
したがって、トラッキング極性で現在の記録トラックがランドＬであるかグルーブＧであるかが明かな場合、検出される各ウォブルアドレス情報と、チルト方向の関係からトラックのアドレスが分かる。例えば、現在の記録トラックがランドＬであり、ウォブルアドレス情報Ｂが判明し、チルト方向が＋であれば、記録トラックＴｒｋ２にいるのが分かる。また、現在の記録トラックがグルーブＧであり、ウォブルアドレス情報Ｃが判明し、チルト方向が−であれば、記録トラックＴｒｋ５にいるのが分かる。
【００７６】
前記図２に構成を示した光ディスク記録再生装置によってこの第２の実施例の光ディスクに信号を記録し、かつ記録された信号を再生することもできる。アドレスデコーダ１３が図１３に示すように各トラックのアドレスを検出することになる。詳細な説明は省略する。この光ディスクにおいても、図１１のフローチャートに示した処理手順を準用して、光学ヘッドの位置決めを制御することができる。
【００７７】
この第２の実施例の光ディスクによっても、高密度化に効果的なランドグルーブ記録において冗長度の低い、密度効率の高いウォブリングアドレスを利用しながら、かつラジアルチルトのような外乱に強くかつ１スポットでトラッキング精度の高いＷＰＰ方式を適用できる。
【００７８】
なお、第１の実施例では、グルーブの両側に同じ系列のアドレス領域を交互にセクタ番号に基づいて連続して配置したが、前記ランドの両側に同じ系列のアドレス領域を交互にセクタ番号に基づいて連続して配置してもよい。また、前記ランドの両側のグルーブにあって、ランドに接する内周側境界と外周側境界には、それぞれ異なる系列のアドレス領域を配置してもよい。
【００７９】
【発明の効果】
本発明によれば、高密度化に効果的なランドグルーブ記録において冗長度の低い、密度効率の高いウォブリングアドレスを利用しながら、かつラジアルチルトのような外乱に強くかつ１スポットでトラッキング精度の高いＷＰＰ方式やチルト検出方式を適用できる。このため、結果的に信頼性と高密度を同時に実現できる。
【図面の簡単な説明】
【図１】本発明の光ディスクの第１の実施例を示す図である。
【図２】光ディスク記録再生装置の構成を説明するための図である。
【図３】第１の実施例におけるウォブルアドレス情報の割り当て例を示す図である。
【図４】ウォブルアドレス情報のデコード結果を示す図である。
【図５】ウォブルアドレス情報のデコード結果をまとめて示す図である。
【図６】光ディスクのラジアルチルトを説明するための図である。
【図７】ラジアルチルト時の検出結果を示す図である。
【図８】前記光ディスク記録再生装置の光学ヘッドの第１のフォトディテクタ及び第２のフォトディテクタから得られる検出信号を用いて生成されるＦＥ、プッシュプル信号、ＷＰＰ信号を示す図である。
【図９】前記ＦＥ、プッシュプル、ＷＰＰ信号を生成する回路図である。
【図１０】ウォブル振幅検出部を示す図である。
【図１１】光ディスク記録再生装置が光学ヘッドの位置決めを制御する処理手順を示すフローチャートである。
【図１２】本発明の光ディスクの第２の実施例におけるウォブルアドレス情報の割り当て例を示す図である。
【図１３】第２の実施例の光ディスクにおけるチルト時の検出結果を示す図である。
【図１４】従来のミニディスクにおけるグルーブ記録を説明するための図である。
【図１５】従来のランド／グルーブ片側ウォブルを示す図である。
【図１６】片側ウォブリングアドレス特性図である。
【図１７】チルトによる振幅差を示す図である。
【図１８】チルトエラー信号特性図である。
【符号の説明】
１  光ディスク、１１  マトリックス回路、１２  ウォブル検出部、１３  アドレスデコーダ、１８  ランド／グルーブ設定部、１７  記録再生制御ホストコンピュータ
【図１】
2004259411.tif 000003
【図２】
2004259411.tif 000004
【図３】
2004259411.tif 000005
【図４】
2004259411.tif 000006
【図５】
2004259411.tif 000007
【図６】
2004259411.tif 000008
【図７】
2004259411.tif 000009
【図８】
2004259411.tif 000010
【図９】
2004259411.tif 000011
【図１０】
2004259411.tif 000012
【図１１】
2004259411.tif 000013
【図１２】
2004259411.tif 000014
【図１３】
2004259411.tif 000015
【図１４】
2004259411.tif 000016
【図１５】
2004259411.tif 000017
【図１６】
2004259411.tif 000018
【図１７】
2004259411.tif 000019
【図１８】
2004259411.tif 000020